(57)【要約】【課題】塵埃除去性能に優れ、メンテナンスの容易な空気調和機用清掃装置を提供する。【解決手段】空気調和機に内蔵されたエアフイルター２７に堆積した塵埃を除去するための回転清掃体４０と、回転清掃体４０から塵埃を剥離させる為の、先端部が櫛歯状に形成された除塵体４３とを備え、回転清掃体４０が回転する際に、除塵体４３の先端部に対して、回転清掃体４０を構成する清掃片の根元部側から端部側にかけて順次当接するようにしたもので、エアフイルター２７に付着した塵埃は、回転清掃体４０で確実に掻き取ることができる。【選択図】図６
2008128532.tif 000002
【特許請求の範囲】
【請求項１】
空気調和機に内蔵されたエアフイルターに堆積した塵埃を除去するための回転清掃体と、前記回転清掃体から塵埃を剥離させる為の、先端部が櫛歯状に形成された除塵体とを備え、前記回転清掃体が回転する際に、前記除塵体の先端部に対して、前記回転清掃体を構成する清掃片の根元部側から端部側にかけて順次当接するようにした空気調和機用清掃装置。
【請求項２】
回転清掃体と除塵体を内蔵し、エアフイルターに対向する面に前記回転清掃体が臨む開口部を設けた集塵ボックスを有し、前記集塵ボックスの内部に、塵埃の吸引通路を形成するようにした、請求項１に記載の空気調和機用清掃装置。
【請求項３】
熱交換器と、前記熱交換器の上流側に配され流入する空気に含まれる塵埃を捕獲するエアフイルターと、請求項１〜２のいずれか1項に記載の空気調和機用清掃装置を備えた空気調和機。
【発明の詳細な説明】
【技術分野】
【０００１】
本発明は、空気調和機に取り付けられたエアフィルターの清掃を行う空気調和機用清掃装置と、それを用いた空気調和機に関するものである。
【背景技術】
【０００２】
従来のこの種の空気調和機用清掃装置として、図９に示すようなものがあった（例えば、特許文献１参照）。
【０００３】
図９は、上記特許文献１に記載された従来の空気調和機用清掃装置の斜視図である。
【０００４】
図９において、従来の空気調和機用清掃装置１は、塵埃吸引用の吸引孔２を設けた吸引ノズル３と、可撓性に優れた吸引ダクト４を介して吸引ノズル３に連結された吸引装置５と、吸引装置５の排出側に接続されると共に室外と連通する排気ダクト６と、吸引ノズル３を空気調和機のエアーフィルター７の上流側表面に沿って左右に移動させる駆動手段８を備え、吸引ノズル３を、エアーフィルター７の上流側表面に沿って、例えば、右端から左側に駆動手段８で移動させながら、吸引装置５を運転することで、エアフィルター７上に堆積した塵埃を吸引孔２から吸引すると共に、その吸引した塵埃を、排気ダクト６を通して室外に排出するようにしたものである。
【０００５】
上記従来の空気調和機用清掃装置１は、吸引装置５を適宜運転するだけで、エアーフィルター７上に堆積した塵埃が吸引されると共に室外に排出されるので、塵埃を別途回収して捨てるなどの手間がかからず、使用勝手の良いものである。
【０００６】
しかしながら、空気調和機のエアーフィルターの場合、空気調和機の冷房運転時に発生する凝縮水による湿気などにより、エアーフィルターの表面に塵埃がこびりつくように堆積するため、上記従来の空気調和機用清掃装置１の吸引装置５の吸引力だけでは確実に塵埃を取りきれないという問題があり、また、塵埃が取れ易いように、吸引力を高めるために吸引ノズル３に設けた吸引孔２を狭めると、広いエアーフィルター７の全面を清掃するのに時間がかったり、また、同じように吸引力を高めようとすると大型の吸引装置５が必要になり、高価になるという問題があった。
【０００７】
これを解決する方法として、外周長手方向にブラシ状の清掃体を植毛した回転清掃体で空気調和機のエアフィルターの表面に付着した塵埃を矯正的に除去するようにした空気調和機用清掃装置がある（例えば、特許文献２参照）。
【０００８】
図１０は、上記特許文献２に記載された従来の空気調和機用清掃装置を搭載した空気調和機本体の断面図である。
【０００９】
図１０において、空気調和機本体１０は、熱交換器１１と、室内の空気を取り入れる吸込口１２と、前記熱交換器１１と前記吸込口１２の間に設けられたベルト状のエアフィルター１３と、このエアフィルター１３を張設した駆動軸１５および従動軸１６と、前記駆動軸１５を回転駆動するサーボモーター１４と、前記エアフィルター１３で捕集された塵埃を除去する空気調和機用清掃装置１７と、前記吸込口１２から室内の空気を吸引し、熱交換器１１を通して吹き出し口１８から、熱交換された空気を室内に吹き出すファン１９を備えている。
【００１０】
空気調和機用清掃装置１７は、ロータ２０ａとそのロータ２０ａの外周の長手方向に植毛されたブラシ状の清掃体２０ｂからなる回転清掃体２０と、前記回転清掃体２０を回転駆動する駆動手段（図示せず）と、前記吸込口１２と連通すると共に前記回転清掃体２０を内設し排出口２１を有する排気管２２と、前記排気管２２内に設けられた塵埃排出用ファン２３から構成されている。
【００１１】
上記のように構成された従来の空気調和機用清掃装置及び空気調和機の動作、作用は以下の通りである。
【００１２】
空気調和機機本体１０を、例えば、冷房運転すると、ファン１９により室内の空気が吸込口１２から流入し、エアフィルター１３を通って熱交換器１１に至り、そこで冷却され、冷たい空気が吹き出し口１８から室内に吹き出される。吸引される室内の空気に含まれた塵埃は、前記エアフィルター１３で捕集され、エアフィルター１３の表面に堆積する。エアフィルター１３の表面に塵埃が堆積してくると、空気の通気圧損が増加し、熱交換効率が低下してくるので、定期的に或いは、必要に応じて、エアフィルター１３上の塵埃の除去運転が必要となる。
【００１３】
塵埃の除去運転は、サーボモーター１４を運転して駆動軸１５を回転させてベルト状のエアフィルター１３を連続的に移動させながら、その間に回転清掃体２０を回転させると共に塵埃排出用ファン２３を運転するもので、これによりエアフィルター１３上の塵埃が、回転清掃体２０の清掃体２０ｂで掻き取られ、掻き取られた塵埃は、塵埃排出用ファン２３により吸引され、排出口２１より室外に排出されるようになっている。
【特許文献１】特開２００５−１４０４０５
【特許文献２】特開平６−７４５２１号公報
【発明の開示】
【発明が解決しようとする課題】
【００１４】
しかしながら、上記特許文献２に記載された従来の空気調和機用清掃装置の構成では、回転清掃体２０の清掃体２０ｂについた塵埃が、エアフィルター１３に容易に再付着するため塵埃の掻き取り性能が悪く、又、エアフィルター１３の全面を清掃する間、塵埃排出用ファン２３が高速で回転し続けるので、騒音が大きいという課題が有った。さらに、塵埃を、排出口２１から直接屋外に排出するようにしているため、屋外の空気が塵埃で汚染され、非衛生的であった。
【００１５】
本発明は、上記従来の課題を解決するもので、エアフィルターからの塵埃の掻き取り性能に優れるともに、エアフィルターへの塵埃の再付着が防止でき、しかも塵埃の廃棄作業が容易で、衛生的で、さらに低騒音の空気調和機用清掃装置と、空気調和機を提供することを目的とするものである。
【課題を解決するための手段】
【００１６】
前記従来の課題を解決するために、本発明の空気調和機用清掃装置は、空気調和機に内蔵されたエアフイルターに堆積した塵埃を除去するための回転清掃体と、前記回転清掃体から塵埃を剥離させる為の、先端部が櫛歯状に形成された除塵体とを備え、前記回転清掃体が回転する際に、前記除塵体の先端部に対して、前記回転清掃体を構成する清掃片の根元部側から端部側にかけて順次当接するようにしたもので、エアフイルターに付着した塵埃は、回転清掃体で確実に掻き取ることができる。
【００１７】
また、除塵体により回転清掃体に付着した塵埃が除去されるので、回転清掃体に付着した塵埃がエアフイルターに再付着することが無く、優れた塵埃除去性能を発揮することが出来る。
【００１８】
又、本発明の空気調和機用清掃装置は、回転清掃体と除塵体を内蔵し、エアフイルターに対向する面に前記回転清掃体が臨む開口部を設けた集塵ボックスを有し、前記集塵ボックスの内部に、塵埃の吸引通路を形成するようにしたもので、別途吸引ユニットを設けて、この吸引ユニットを動作させると、集塵ボックス内に堆積した塵埃が、吸引風により瞬時に吸引通路内を移送されて移動するため、その塵埃を回収して塵埃を簡単に廃棄することが出来るので、メンテナンスが容易でしかも衛生的である。
【００１９】
又、本発明の空気調和機は、熱交換器と、前記熱交換器の上流側に配され流入する空気に含まれる塵埃を捕獲するエアフイルターと、請求項１〜２のいずれか1項に記載の空気調和機用清掃装置を備えたもので、塵埃掻き取り性能、及び、回転清掃体からの塵埃剥離性能に優れ、小型、低騒音で、しかもメンテナンスが容易な空気調和機用清掃装置を用いることにより、エアフイルターを常にきれいに保つことが出来るので、空調性能に優れ、しかもメンテナンスの容易な空気調和機を提供することが出来る。
【発明の効果】
【００２０】
本発明の空気調和機用清掃装置及び空気調和機は、塵埃の掻き取り性能、及び、回転清掃体からの塵埃剥離性能に優れ、小型で、衛生的で、低騒音で、しかも塵埃廃棄頻度が少なくメンテナンスが容易である。
【発明を実施するための最良の形態】
【００２１】
第１の発明は、空気調和機に内蔵されたエアフイルターに堆積した塵埃を除去するための回転清掃体と、前記回転清掃体から塵埃を剥離させる為の、先端部が櫛歯状に形成された除塵体とを備え、前記回転清掃体が回転する際に、前記除塵体の先端部に対して、前記回転清掃体を構成する清掃片の根元部側から端部側にかけて順次当接するようにしたもので、エアフイルターに付着した塵埃は、回転清掃体で確実に掻き取ることができる。
【００２２】
また、除塵体により回転清掃体に付着した塵埃が除去されるので、回転清掃体に付着した塵埃がエアフイルターに再付着することが無く、優れた塵埃除去性能を発揮することが出来る。
【００２３】
第２の発明は、回転清掃体と除塵体を内蔵し、エアフイルターに対向する面に前記回転清掃体が臨む開口部を設けた集塵ボックスを有し、前記集塵ボックスの内部に、塵埃の吸引通路を形成するようにしたもので、別途吸引ユニットを設けて、この吸引ユニットを動作させると、集塵ボックス内に堆積した塵埃が、吸引風により瞬時に吸引通路内を移送されて移動するため、その塵埃を回収して塵埃を簡単に廃棄することが出来るので、メンテナンスが容易でしかも衛生的である。
【００２４】
第３の発明は、熱交換器と、前記熱交換器の上流側に配され流入する空気に含まれる塵埃を捕獲するエアフイルターと、請求項１〜２のいずれか1項に記載の空気調和機用清掃装置を備えたもので、塵埃掻き取り性能、及び、回転清掃体からの塵埃剥離性能に優れ、小型、低騒音で、しかもメンテナンスが容易な空気調和機用清掃装置を用いることにより、エアフイルターを常にきれいに保つことが出来るので、空調性能に優れ、しかもメンテナンスの容易な空気調和機を提供することが出来る。
【００２５】
以下、本発明の実施の形態について、図面を参照しながら説明する。なお、この実施例によって本発明が限定されるものではない。
【００２６】
（実施例１）
本発明の第１の実施例における空気調和機用清掃装置およびそれを搭載した空気調和機について図１〜７を用いて説明する。
【００２７】
図１は、本実施例における空気調和機用清掃装置を搭載した空気調和機の室内機の前面パネルを取り外した状態を示す斜視図、図2は、同空気調和機の室内機の断面図、図３は、同空気調和機用清掃装置の塵埃除去ユニット、塵埃回収ユニット及び吸引ユニットの断面図である。
【００２８】
図１〜３において、本実施例における空気調和機用清掃装置３５を搭載した空気調和機の室内機２５の前面には、室内の空気を取り入れるための吸込口２６ａを有する前面パネル２６が設けられ、前面パネル２６の下流側に、流入する空気に含まれる塵埃を捕捉するエアーフィルター２７、取り入れられた室内の空気を熱交換する熱交換器２８、ファン２９が順に配され、ファン２９を運転すると、室内の空気が、吸込口２６ａから吸引され、熱交換器２３で熱交換された後、吹出口３０から室内に吹き出されるようになっている。
【００２９】
空気調和機用清掃装置３５は、図示しない第1の駆動手段で、エアーフィルター２７の上流側表面に沿って上下に移動して、エアーフィルター２７の表面に付着した塵埃を除去する塵埃除去ユニット３６と、室内機２５に着脱自在に係止され、塵埃除去ユニット３６で除去された塵埃を回収する塵埃回収ユニット３７と、室内機２５に取着され吸引風を発生させる吸引ユニット３８から構成されている。
【００３０】
塵埃除去ユニット３６は、室内機２５に対して着脱自在に構成されており、エアーフィルター２７の表面に付着した塵埃を掻き取る回転清掃体４０と、回転清掃体４０及び回転清掃体４０で掻き取られた塵埃を収納する収納室４１ｆを有する集塵ボックス４１と、図示しないモータとそのモータの回転数を減速する減速手段からなり回転清掃体４０を回転駆動する第２の駆動手段４２と、回転清掃体４０に付着した塵埃を除去する除塵体４３を備えている。
【００３１】
集塵ボックス４１は、エアーフィルター２７側に位置する右ケース４１ａと、右ケース４１ａに取着された左ケース４１ｂの２部品からなり、塵埃回収ユニット３７側端部には塵埃排出用の排出口４１ｃが設けられている。又、エアーフィルター２７に対向する右ケース４１ａには、回転清掃体４０が臨む横長の開口部４１ｄが設けられている。４１ｅは、室内機２５に設けたガイド溝３２に嵌合するガイド突起で、塵埃除去ユニット３６が、エアーフィルター２７の表面に沿って上下に移動する際に、外れることがないようにするためのものである。
【００３２】
なお、本実施例では、集塵ボックス４１の内壁に、フッ素樹脂などの摺動性に優れた材料をコーティングして、集塵ボックス４１内の塵埃の移動がスムーズになるようにしている。
【００３３】
４４は、集塵ボックス４１に設けた排出口４１ｃを開閉する蓋体で、集塵ボックス４１の塵埃回収ユニット３７側の端面に上下方向に摺動自在に設けられと共に、図示しない付勢手段で、下方向に（排出口４１ｃを閉じる方向）付勢されている。蓋体４４の上端には、集塵ボックス４１の上端に当接して、蓋体４４の下方への移動規制を行なう突起４４ａが設けられている。
【００３４】
次に、回転清掃体４０の詳細について、図4を用いて説明する。
【００３５】
図４（ａ）は、回転清掃体４０の斜視図、（ｂ）は、同回転清掃体の製法を示す図、（ｃ）は、同回転清掃体４０の断面図である。
【００３６】
図４において、回転清掃体４０は、棒状で金属材料からなる軸体５１と、軸体５１の外周に螺旋状に巻き付けられると共に、基布５２ａと、基布５２ａに植毛されたブラシ部５２ｂからなる清掃片５２と、軸体５１の第２の駆動手段４２側端部に固着され、第２の駆動手段４２の駆動軸４２ａの先端に着脱自在に嵌合するカップリング５３と、軸体５１の反対側端部に設けられ軸体５１を回転自在に保持すると共に、集塵ボックス４１の側壁に装着される軸受け体５４から構成されている。
【００３７】
本実施例では、軸体５１に巻きつけられた清掃片５２の全幅寸法（有効清掃幅寸法Ｌ）を５００ｍｍ以上としている。また、本実施例では、図４（ｃ）に示すように、ブラシ部５２ｂを形成するパイル５２ｃが略放射状になるようにしているが、図４（ｄ）に示すように、パイル５２ｃを、回転清掃体４０が回転する方向（矢印方向）に傾けるようにしてもよい。このようにすれば、パイル５２ｃの先端でエアーフィルター２７の網目に入り込んだ塵埃をほじくるような作用をするため、塵埃除去性能が向上する。
【００３８】
本実施例では、さらに、ブラシ状の清掃片５２に、フッ素樹脂などの摺動性に優れた材料をコーティングして、清掃片５２から塵埃が容易に離れるようにしている。
【００３９】
なお、本実施例では、上述のように、軸体５１を１本の棒状部材で形成しているが、複数本に分割して、それらを螺子嵌合や、圧入等で繋ぐようにしても良い。そのようにすれば、軸体５１の運搬が容易で、しかも梱包形態も簡素化される。
【００４０】
また、軸体５１を、パイプのような中空の部材で形成すれば、軸体５１の質量が低減し、回転清掃体４０、ひいては、空気調和機用清掃装置３５の軽量化を図ることが出来る。
【００４１】
次に、除塵体４３の詳細について、図5を用いて説明する。
【００４２】
図５（ａ）は、除塵体４３の斜視図、（ｂ）は、除塵体４３と回転清掃体４０との関係を示す斜視図である。
【００４３】
図５において、除塵体４３は、金属板から形成され、先端が、回転清掃体４０の清掃片５２に食い込むように櫛歯状に形成され、他側には、集塵ボックス４１内にねじ等（図示せず）で固着するためのネジ穴４３ａが設けられている。
【００４４】
図６は、図２における塵埃除去ユニット３６周辺の拡大断面図であり、除塵体４３によって回転清掃体４０から塵埃が剥離する状態を示している。図において、回転清掃体４０が矢印Ａ方向へ回転したときに、除塵体４３の先端部に対して、回転清掃体４０を構成する清掃片５２のパイル５２ｃが、根元部側から端部側にかけて順次当接するように設置している。
【００４５】
また、集塵ボックス４１の内部において、右ケース４１ａ及び、左ケース４１ｂの内壁と、除塵体４３と、回転清掃体４０によって作られる空間部には、除塵体４３によって回転清掃体４０から剥離して、収納室４１ｆへ堆積した塵埃を移送するための吸引通路６１が形成されており、吸引ユニット３８による吸引風によって塵埃回収ユニット３７へと塵埃が移動する通路としての役割を果たしている。
【００４６】
図３に戻って、塵埃回収ユニット３７の外郭は、箱部３７ａと、箱部３７ａに取着自在の蓋部３７ｂから構成され、上流側に位置する蓋部３７ｂには、吸気口３７ｃが設けられ、下流側に位置する箱部３７ａには、格子状の排出口３７ｄがそれぞれ設けられている。吸気口３７ｃには、ゴムなどの弾性部材からなり、塵埃回収ユニット３７内に吸引力が作用しない間吸気口３７ｃを閉鎖する逆止弁５７が設けられ、排出口３７ｄは、フィルター５８で覆われている。
【００４７】
吸引ユニット３８の前面には、格子状の開口３８ａが、後面には排気口３８ｂがそれぞれ設けられ、内部には、吸引風を発生させると共にその吸引側が開口３８ａと連通する電動送風機５９が配されている。電動送風機５９は、吸引ユニット３８の内壁に弾性材料からなる支持部材６０を介して支持されている。又、塵埃回収ユニット３７が室内機２５の所定の位置に装着されたときは、塵埃回収ユニット３７の排出口３７ｄと吸引ユニット３８の開口３８ａが連通するようになっている。
【００４８】
以上のように構成された本実施例における空気調和機用清掃装置３５及びそれを搭載した空気調和機の室内機２５の動作、作用は以下の通りである。
【００４９】
通常、塵埃除去ユニット３６は、図１に示すように、室内機２５の下端に位置すると共に、塵埃除去ユニット３６と、塵埃回収ユニット３７と、吸引ユニット３８は略一直線上に並んでいる。
【００５０】
室内機２５を例えば、冷房運転すると、ファン２９の運転により室内の空気が、前面パネル２６に設けた吸込口２６ａから流入し、エアフィルター２７を通って熱交換器２８に至り、そこで冷却され、冷たい空気が吹出口３０から室内に吹き出される。吸込口２６ａから吸引される室内の空気に含まれた塵埃は、エアフィルター２７で捕獲され、そのエアフィルター２７の表面に次第に堆積していく。エアフィルター２７の表面に塵埃が堆積してくると、空気の通気圧損が増加し、熱交換器２８での熱交換効率が低下してくるので、定期的に或いは、必要に応じて、エアフィルター２７に堆積した塵埃の除去運転が必要となる。
【００５１】
そこで、本実施例では、塵埃の除去運転を開始すると、塵埃除去ユニット３６に内蔵された第２の駆動手段４２が駆動して回転清掃体４０が回転する（図２中で、矢印Ａ方向に回転させる）。この状態で、第１の駆動手段（図示せず）を動作させて、塵埃除去ユニット３６をエアフィルター２７の上流側表面に沿って上昇させると、その間に、回転する回転清掃体４０の清掃片５２の先端で、エアフィルター２７の表面に付着した塵埃が掻き落とされ、集塵ボックス４１内に堆積していく。
【００５２】
エアーフィルター２７の表面から塵埃を掻き取った時に、一部の塵埃が回転清掃体４０の清掃片５２に付着しても、図６に示すように、回転清掃体４０の矢印Ａ方向への回転時において、除塵体４３の先端部に対して、回転清掃体４０を構成する清掃片５２のパイル５２ｃが、根元部側から端部側にかけて順次当接するようにしているので、パイル５２ｃは回転後方へ撓みながら除塵体４３に当接し、パイル５２ｃの端部が除塵体４３から開放されるのとほぼ同時に塵埃が矢印Ｂ方向へ放り出される。このように、除塵体４３により、清掃片５２が梳かれて、パイル５２ｃの端部が開放される時には、確実に塵埃を剥離できるので、塵埃の一部が除塵体４３の櫛歯状の先端に圧縮堆積してしまうことがなく、清掃片５２を常にきれいにしておき、塵埃のエアーフィルター２７への再付着を防止することができる。
【００５３】
塵埃除去ユニット３６が、エアフィルター２７上で移動している間は、付勢手段（図示せず）で下方に付勢された蓋体４４により、集塵ボックス４１に設けた排出口４１ｃが閉じられているので、集塵ボックス４１内に堆積した塵埃が外に洩れ出ることが無い。
【００５４】
そして、塵埃除去ユニット３６が、エアフィルター２７の上端に達したら、第１の駆動手段を逆転させて、塵埃除去ユニット３６を下方に移動させる。
【００５５】
塵埃除去ユニット３６が、図７（ａ）に示す位置まで下りてくると、蓋体４４の下端が塵埃回収ユニット３７の上端に当接し、図７（ｂ）に示すように、塵埃除去ユニット３６がさらに下がってくると、付勢手段の付勢力に抗して、蓋体４４が、上昇し、最終的には、図７（ｃ）に示すように、蓋体４４が排出口４１ｃを全開し、塵埃回収ユニット３７の吸気口３７ｃと、塵埃除去ユニット３６の排出口４１ｃが連通する。
【００５６】
ここで、吸引ユニット３８を運転すると、電動送風機５９の吸引力により、逆止弁５７が開き、外気が、塵埃除去ユニット３６に設けた開口部４１ｄより流入し、その外気と共に集塵ボックス４１内の収納室４１ｆに堆積した塵埃が、吸引通路６１、排出口４１ｃ、吸気口３７ｃを通って、塵埃回収ユニット３７に移送される。塵埃回収ユニット３７には、フィルター５８が設けられているので、そこで塵埃が捕獲され、きれいになった空気は、塵埃回収ユニット３７の排出口３７ｄ、吸引ユニット３８の開口３８ａを通って、電動送風機５９を冷却した後、後壁に設けた排気口３８ｂより外部に排出される。
【００５７】
そして、塵埃回収ユニット３７の前面に設けた取っ手３７ｅ(図１参照)をつまんで、塵埃回収ユニット３７を室内機２５から外し、ゴミ箱などの上で、塵埃回収ユニット３７の蓋部３７ｂを外せば、中の塵埃を簡単に捨てることが出来る。塵埃を捨て終わったら、塵埃回収ユニット３７の元の場所に装着しておく。
【００５８】
以上のように、本実施例によれば、空気調和機のエアフイルター２７に付着した塵埃は、回転清掃体４０で確実に掻き取られながら、塵埃除去ユニット３６の集塵ボックス４１内の吸引通路６１に堆積していくと共に、その塵埃除去ユニット３６が所定の位置まで、本実施例では、最下端まで移動したときに、吸引ユニット３８を動作させることにより、集塵ボックス４１内に堆積した塵埃が、吸引風により瞬時に塵埃回収ユニット３７内に移動し、その塵埃回収ユニット３７を取り外して塵埃を周囲に撒き散らすことなくしかも簡単に廃棄することが出来るので、メンテナンスが容易でしかも衛生的である。
【００５９】
また、回転清掃体４０に塵埃が付着したままになっても、除塵体４３によりそれが除去されるので、回転清掃体４０に付着した塵埃がエアフイルター２７に再付着することが無く、優れた塵埃除去性能を発揮することが出来る。さらに、吸引ユニット３８は、集塵ボックス４１内に堆積した塵埃を、塵埃回収ユニット３７に移動させるときだけ運転するので、全体的に騒音を低減することができる。さらに、塵埃除去ユニット３６で数回エアフイルター２７を清掃し、塵埃回収ユニット３７に塵埃が十分堆積した後、塵埃を廃棄するようにすれば、塵埃の廃棄頻度が減って、さらに使用勝手が向上するものである。
【００６０】
また、塵埃回収ユニット３７を着脱自在に設けているので、塵埃回収ユニット３７内の塵埃の廃棄作業が一層容易になるものである。
【００６１】
なお、上記実施例では、塵埃回収ユニット３７を室内機２５に対し着脱自在としたが、吸引ユニット３８に適当な係止部を設けて、吸引ユニット３８に対し着脱自在に取り付けるようにしてもよい。
【００６２】
また、塵埃除去ユニット３６を、室内機２５に着脱自在に設けたので、集塵ボックス４１内や、回転清掃体４０、除塵体４３の清掃などのメンテナンスが非常に容易になるものである。
【００６３】
さらに、回転清掃体４０を、棒状の軸体５１と、前記軸体５１の表面に設けたブラシ状の清掃片５２で構成したので、エアフイルター２７に付着した塵埃を確実に掻き取ることができ、塵埃除去性能が向上する。
【００６４】
また、回転清掃体４０のブラシ状部材を、軸体５１に螺旋状に巻き付けた清掃片５２で形成したので、回転清掃体４０の製造が容易になり、空気調和機用清掃装置３５を安価に形成することが出来る。
【００６５】
また、ブラシ状部材である清掃片５２を形成するパイル６２ｃに、摺動性に優れたフッ素樹脂、シリコン樹脂などをコーティングしたことにより、清掃片５２から塵埃が容易に離れるようになり、エアフイルター２７への塵埃の再付着がさらに発生し難くなり、塵埃除去性能が向上するものである。
【００６６】
また、集塵ボックス４１の内壁にも、フッ素樹脂、シリコン樹脂などの摺動性に優れた材料をコーティングしているので、集塵ボックス４１内での塵埃の移動がスムーズになり、吸引ユニット３８を運転したときに、集塵ボックス４１内の塵埃を確実に塵埃回収ユニット３７に移動させることが出来る。
【００６７】
また、除塵体４３の先端を、回転清掃体４０に食い込むように櫛歯状に形成するとともに、回転清掃体４０の矢印Ａ方向への回転時において、除塵体４３の先端部に対して、回転清掃体４０を構成する清掃片５２のパイル５２ｃが、根元部側から端部側にかけて順次当接するようにしているので、除塵体４３により、清掃片５２が梳かれて、パイル５２ｃの端部が開放される時には、確実に塵埃を剥離できるので、塵埃の一部が除塵体４３の櫛歯状の先端に圧縮堆積してしまうことがなく、清掃片５２を常にきれいにしておき、塵埃のエアーフィルター２７への再付着を防止することができる。
【００６８】
又、軸体５１に巻きつけられた清掃片５２の全幅寸法（有効清掃幅寸法）を５００ｍｍ以上としたことにより、空気調和機の室内機２５に内設された幅の広いエアフイルター２７の全幅に渡って、清掃片５２が当たるようになり、回転清掃体４０を超低速（例えば、１０ＲＰＭ程度）で回転させても十分均一にエアフイルター２７を清掃することができ、しかも回転清掃体４０の回転時の騒音を低減することができる。
【００６９】
なお、特に図示しないが、塵埃回収ユニット３７内に配したフイルター５８の代わりに、一般に市販されている電気掃除機用の使い捨ての紙パック（図示せず）を使用しても良い。この場合は、紙パックの口芯（図示せず）が、塵埃回収ユニット３７に設けた吸気口３７ｃに空気洩れしないように取り付けられる構成にする必要があるが、それは、従来より一般に電気掃除機に採用された技術を用いれば、容易に構成することが出来るものである。
【００７０】
以上のように、塵埃回収ユニット３７に使い捨ての紙パックを用いるようにすると、塵埃廃棄時に細塵が舞い上がることも無く、塵埃廃棄がさらに容易になると共に、塵埃回収ユニット３７内が塵埃で汚れることも無いので、衛生的で、メンテナンスも一層容易になるものである。
【００７１】
なお、上記実施例では、吸引ユニット３８を別部品とし、室内機２５に取り付けるようにしたが、吸引ユニット３８を室内機２５の一部に一体的に形成するようにしても良い。具体的には、室内機２５の一部に電動送風機５９を収納する電動送風機室（図示せず）を形成し、電動送風機室と、塵埃回収ユニット３７が連通するようにすれば良い。
【００７２】
なお、上記実施例では、清掃片５２を軸体５１に密に巻きつけて形成したが、図８に示すように、清掃片５２を軸体５１の外周に螺旋状に巻きつける際に、間をおいて巻きつけて、隣り合う清掃片５２間の空隙５２ｄが螺旋状に形成されるようにすれば、例えば、回転清掃体４０を矢印方向に回転させると、エアーフィルター２７から掻き落とされた塵埃が螺旋状に形成された空隙５２ｄにより、右方向（白抜き矢印方向）、すなわち塵埃回収ユニット３７側に移動させることが出来、塵埃の回収がより確実に行なわれるようになる。
【００７３】
また、特に図示しないが、上記実施例における集塵ボックス４１のそれぞれの一方の側壁上部に発光素子を、他方の側壁の上部に前記発光素子からの光を受けて信号を発する受光素子を設け、集塵ボックス４１内の塵埃が堆積してきて、発光素子からの光が遮られることによる受光素子の出力変化から塵埃の量を検知し、その結果に基づき、表示ランプを点灯させたり、ブザーなどによる音で報知するようにすれば、使用者は、高所のある空気調和機に装着された塵埃回収ユニットをいちいち外さなくても、容易に塵埃の廃棄時期を知ることが出来る。
【００７４】
なお、集塵ボックス４１を透明な材料で形成し、発光素子、受光素子のいずれも空気調和機側に設置し、集塵ボックス４１を、上記発光素子と受光素子との間に位置させるようにすれば、構成を簡素化しながら同様の効果が得られることは言うまでも無い。
【００７５】
又、空気調和機の室内機２５に、塵埃掻き取り性能に優れ、小型、低騒音で、しかもメンテナンスが容易な上記空気調和機用清掃装置３５を用いることにより、エアフイルター２７を常にきれいに保つことが出来るので、空調性能に優れ、しかもメンテナンスの容易な空気調和機を提供することが出来る。
【産業上の利用可能性】
【００７６】
以上のように、本発明にかかる空気調和機用清掃装置は、塵埃掻き取り性能に優れ、小型、低騒音で、しかも衛生的で、また、塵埃の廃棄、メンテナンスが容易なもので、家庭用、業務用の各種空気調和機は勿論、空気清浄機、換気装置などエアフィルターを有する各種機器に適用できるものである。
【図面の簡単な説明】
【００７７】
【図１】本発明の第１の実施例における空気調和機用清掃装置を搭載した空気調和機の室内機の前面パネルを取り外した状態を示す斜視図
【図２】同空気調和機の室内機の断面図
【図３】（ａ）同空気調和機用清掃装置の塵埃除去ユニットの断面図、（ｂ）同空気調和機用清掃装置の塵埃回収ユニットの断面図、（ｃ）同空気調和機用清掃装置の吸引ユニットの断面図
【図４】（ａ）同空気調和機用清掃装置の回転清掃体の斜視図、（ｂ）同回転清掃体の製法を示す図、（ｃ）同回転清掃体の断面図、（ｄ）回転清掃体の他の例を示す断面図
【図５】（ａ）同空気調和機用清掃装置の除塵体の斜視図、（ｂ）除塵体と回転清掃体との関係を示す斜視図
【図６】図２における塵埃除去ユニット３６周辺の拡大断面図
【図７】（ａ）〜（ｃ）同塵埃除去ユニットと塵埃回収ユニットの位置関係の変化を示す図
【図８】同空気調和機用清掃装置の回転清掃体の他の例を示す斜視図
【図９】従来の空気調和機用清掃装置の斜視図
【図１０】従来の他の空気調和機用清掃装置を搭載した空気調和機の室内機の断面図
【符号の説明】
【００７８】
２５    室内機（空気調和機）
２７    エアフィルター
２８    熱交換器
２９    ファン
３０    吹出口
３５    空気調和機用清掃装置
３６    塵埃除去ユニット
３７    塵埃回収ユニット
３７ｃ  吸気口
３７ｄ  排出口
３８    吸引ユニット
４０    回転清掃体
４１    集塵ボックス
４３    除塵体
５１    軸体
５２    清掃片（ブラシ状部）
５２ｂ  ブラシ部
５２ｃ  パイル
５８    フィルター
５９    電動送風機
６１    吸引通路
【図１】
2008128532.tif 000003
【図２】
2008128532.tif 000004
【図３】
2008128532.tif 000005
【図４】
2008128532.tif 000006
【図５】
2008128532.tif 000007
【図６】
2008128532.tif 000008
【図７】
2008128532.tif 000009
【図８】
2008128532.tif 000010
【図９】
2008128532.tif 000011
【図１０】
2008128532.tif 000012